(57)【要約】【課題】自動車のパネルからワイヤハーネスを容易に取り外すことができかつ省資源化を図ることができるワイヤハーネス用固定具を提供する。【解決手段】ワイヤハーネス用固定具としての配線用クリップ１はワイヤハーネス２をパネル３に固定する。配線用クリップ１は取付部１０と係止部１１とを備えている。取付部１０は平板状である。係止部１１は取付部１０から立設した立設片１３と一対の係止片１４と最小部１５と太部１６を備えている。一対の係止片１４は一端部１４ａが立設片１３の先端部１３ａに連なって山形となっている。最小部１５は立設片１３の外面から凹でかつ立設片１３の断面積を最小としている。太部１６は立設片１３の外面から突出している。最小部１５は太部１６より取付部１０寄りに配されている。【選択図】図３
2006312458.tif 000002
【特許請求の範囲】
【請求項１】
自動車の車体を構成するパネルにワイヤハーネスを取り付けるワイヤハーネス用固定具において、
ワイヤハーネスに重ねられる取付部と、
前記取付部から立設しかつ前記パネルの孔に係止可能な係止部と、
前記係止部の前記取付部寄りの端部に設けられかつ前記係止部の前記ワイヤハーネスが延びた方向に沿った断面積を最小とする最小部と、
前記ワイヤハーネスが延びた方向に沿って取付部を変位すると、前記最小部を中心として、前記係止部を取付部に向かって倒す方向に変位させる変位手段と、
を備えたことを特徴とするワイヤハーネス用固定具。
【請求項２】
前記変位手段は前記係止部の前記取付部寄りの端部に設けられ、かつ前記最小部は前記変位手段より前記取付部寄りに配されていることを特徴とする請求項１記載のワイヤハーネス用固定具。
【請求項３】
前記係止部は、前記取付部から立設した立設片と、該立設片の前記取付部から離れた側の端部に連なりかつ取付部に近づくのにしたがって互いに離れる方向に傾斜しているとともに前記パネルの孔に係止する一対の係止片と、を備え、
前記最小部と変位手段とは、前記立設片の取付部寄りの端部に設けられ、かつ前記最小部は前記立設片の前記ワイヤハーネスが延びた方向に沿った断面積を最小としているとともに、
変位手段は、前記立設片の外面から該立設片の外方向に突出していることを特徴とする請求項２記載のワイヤハーネス用固定具。
【請求項４】
変位手段は、前記立設片の外面から該立設片の外方向に突出し、かつ前記取付部から離れるのにしたがって徐々に立設片の外面に近づく方向に傾斜した第１の傾斜面を備えていることを特徴とする請求項３記載のワイヤハーネス用固定具。
【請求項５】
変位手段は、前記立設片の外面から該立設片の外方向に突出し、かつ前記取付部から離れるのにしたがって徐々に立設片の外側に向かう方向に傾斜しているとともに、前記第１の傾斜面と前記最小部との間に配された第２の傾斜面を備えていることを特徴とする請求項４記載のワイヤハーネス用固定具。
【発明の詳細な説明】
【技術分野】
【０００１】
本発明は、車両としての自動車などの車体を構成するパネルにワイヤハーネスを固定するためのワイヤハーネス用固定具に関する。
【背景技術】
【０００２】
車両としての自動車などには、各種の電子機器が搭載されている。自動車は、前記電子機器に、バッテリなどの電源などからの電力や制御装置からの制御信号などを伝えるために、ワイヤハーネスを配索している。ワイヤハーネスは、複数の電線と、該電線の端部などに取りつけられたコネクタなどを備えている。
【０００３】
前記電線は、それぞれ、導電性の芯線と、この芯線を被覆する絶縁性の被覆部とを備えた所謂被覆電線である。コネクタは、前記電線の芯線と電気的に接続した端子金具と、該端子金具を収容する絶縁性のコネクタハウジングと、を備えている。前記コネクタは、電子機器のコネクタとコネクタ結合する。そして、ワイヤハーネスは、電子機器に電力や各種の信号を伝える。
【０００４】
自動車の車体を構成するパネル１００（図７などに示す）に前述したワイヤハーネス１０７を固定するために、例えば、図７に示すワイヤハーネス用固定具１０１を用いる。図７に例示されたワイヤハーネス用固定具１０１は、平板状の取付部１０２と、係止部１０３と、を一体に備えている。ワイヤハーネス用固定具１０１は、合成樹脂からなる。
【０００５】
係止部１０３は、取付部１０２から立設した立設片１０４と、一対の係止片１０５とを一体に備えている。係止片１０５は、一端部が互いに連なっている。さらに、一対の係止片１０５の一端部は、立設片１０４の取付部１０２から離れた側の先端部に連なっている。一対の係止片１０５の他端部は、互いに間隔をあけているとともに、立設片１０４と間隔をあけている。
【０００６】
一対の係止片１０５は、一端部から他端部に向かうにしたがって徐々に取付部１０２に近づく状態に配されている。一対の係止片１０５は、一端部から他端部に向かうにしたがって互いに徐々に離れているとともに、立設片１０４から徐々に離れている。一対の係止片１０５は、側方からみて山形に形成されている。一対の係止片１０５の他端部には、切欠き１０６が設けられている。切欠き１０６は、一対の係止片１０５の他端部の外縁部を切り欠いている。一対の係止片１０５は、他端部が互いに近づく方向に弾性変形可能である。
【０００７】
取付部１０２にワイヤハーネス１０７の電線を重ね、該取付部１０２と電線との外周にテープ１０８などが巻かれて、前述した構成のワイヤハーネス用固定具１０１は、ワイヤハーネス１０７と固定される。
【０００８】
そして、一対の係止片１０５が前記パネル１００に設けられた孔１０９に挿入される。他端部が互いに近づく方向に、一対の係止片１０５は、一旦弾性変形する。その後、一対の係止片１０５の他端部が孔１０９内に侵入すると、弾性復元力によって一対の係止片１０５の他端部が互いに離れる方向に変位する。そして、切欠き１０６が孔１０９の内縁に接触する。こうして、係止部１０３は、前記パネル１００に設けられた孔１０９に係止する。こうして、ワイヤハーネス用固定具１０１は、図７に示すように、ワイヤハーネス１０７をパネル１００に固定する。
【０００９】
前述した構成のワイヤハーネス用固定具１０１でパネル１００に固定されたワイヤハーネス１０７を、該パネル１００から取り外す際には、図８中の矢印Ｋに沿ってワイヤハーネス１０７の端部などを、パネル１００から離れる方向に変位させる。すると、前記テープ１０８が切れるなどして、図９に示すように、ワイヤハーネス１０７がパネル１００から取り外される。
【発明の開示】
【発明が解決しようとする課題】
【００１０】
前述した従来のワイヤハーネス用固定具１０１は、テープ１０８を切断するなどして、ワイヤハーネス１０７をパネル１００から取り外してきた。このため、ワイヤハーネス１０７を、パネル１００から離れる方向に変位させる必要があって、作業員がワイヤハーネス１０７をパネル１００から取り外しにくかった。
【００１１】
また、前述したワイヤハーネス用固定具１０１は、ワイヤハーネス１０７をパネル１００から取り外しても、前記係止部１０３がパネル１００の孔１０９に係止して、パネル１００に取り付けられたままとなっている。前記係止部１０３がパネル１００の孔１０９に係止しているので、ワイヤハーネス用固定具１０１を、パネル１００から取り外すのは困難であった。このため、ワイヤハーネス用固定具１０１を、不必要になった自動車のパネル１００から容易に取り外すことができずに、リサイクルすることが困難であった。このことは、省資源化の観点からも望ましくない。
【００１２】
したがって、本発明の目的は、自動車のパネルからワイヤハーネスを容易に取り外すことができるとともに、省資源化を図ることができるワイヤハーネス用固定具を提供することにある。
【課題を解決するための手段】
【００１３】
前記課題を解決し目的を達成するために、請求項１に記載の本発明のワイヤハーネス用固定具は、自動車の車体を構成するパネルにワイヤハーネスを取り付けるワイヤハーネス用固定具において、ワイヤハーネスに重ねられる取付部と、前記取付部から立設しかつ前記パネルの孔に係止可能な係止部と、前記係止部の前記取付部寄りの端部に設けられかつ前記係止部の前記ワイヤハーネスが延びた方向に沿った断面積を最小とする最小部と、前記ワイヤハーネスが延びた方向に沿って取付部を変位すると、前記最小部を中心として、前記係止部を取付部に向かって倒す方向に変位させる変位手段と、を備えたことを特徴としている。
【００１４】
請求項２に記載の本発明のワイヤハーネス用固定具は、請求項１に記載のワイヤハーネス用固定具において、前記変位手段は前記係止部の前記取付部寄りの端部に設けられ、かつ前記最小部は前記変位手段より前記取付部寄りに配されていることを特徴としている。
【００１５】
請求項３に記載の本発明のワイヤハーネス用固定具は、請求項２に記載のワイヤハーネス用固定具において、前記係止部は、前記取付部から立設した立設片と、該立設片の前記取付部から離れた側の端部に連なりかつ取付部に近づくのにしたがって互いに離れる方向に傾斜しているとともに前記パネルの孔に係止する一対の係止片と、を備え、前記最小部と変位手段とは、前記立設片の取付部寄りの端部に設けられ、かつ前記最小部は前記立設片の前記ワイヤハーネスが延びた方向に沿った断面積を最小としているとともに、変位手段は、前記立設片の外面から該立設片の外方向に突出していることを特徴としている。
【００１６】
請求項４に記載の本発明のワイヤハーネス用固定具は、請求項３に記載のワイヤハーネス用固定具において、変位手段は、前記立設片の外面から該立設片の外方向に突出し、かつ前記取付部から離れるのにしたがって徐々に立設片の外面に近づく方向に傾斜した第１の傾斜面を備えていることを特徴としている。
【００１７】
請求項５に記載の本発明のワイヤハーネス用固定具は、請求項４に記載のワイヤハーネス用固定具において、変位手段は、前記立設片の外面から該立設片の外方向に突出し、かつ前記取付部から離れるのにしたがって徐々に立設片の外側に向かう方向に傾斜しているとともに、前記第１の傾斜面と前記最小部との間に配された第２の傾斜面を備えていることを特徴としている。
【００１８】
請求項１に記載した本発明のワイヤハーネス用固定具によれば、取付部をワイヤハーネスが延びた方向に変位させると、変位手段が係止部を取付部に倒す方向に変位させる。そして、係止部の断面積を最小とする最小部から係止部が破壊（破断）する。即ち、係止部は最小部で切断される。
【００１９】
こうして、取付部をワイヤハーネスが延びた方向に変位させると、係止部が分離する。このため、取付部をワイヤハーネスが延びた方向に変位させると、取付部とワイヤハーネスをパネルから取り外すことができる。また、ワイヤハーネスをパネルから取り外すと、取付部もパネルから取り外される。
【００２０】
請求項２に記載した本発明のワイヤハーネス用固定具によれば、最小部が変位手段より取付部寄りに配されている。このため、変位手段が係止部を取付部に向かって倒すと、取付部から係止部が確実に破壊（破断）する。このため、取付部をワイヤハーネスが延びた方向に変位させると、取付部とワイヤハーネスをパネルから確実に取り外すことができる。また、ワイヤハーネスをパネルから取り外すと、取付部もパネルから確実に取り外される。
【００２１】
請求項３に記載した本発明のワイヤハーネス用固定具によれば、変位手段は、立設片の外面から突出している。このため、ワイヤハーネスが延びた方向に沿って取付部を変位させると、係止片が立設片に接触するほど近づかない。このため、変位手段は、確実に係止部を倒す方向に変位させる。
【００２２】
請求項４に記載した本発明のワイヤハーネス用固定具によれば、取付部をワイヤハーネスが延びた方向に変位させると、変位手段が係止部を取付部に倒す方向に変位させる。そして、係止部の断面積を最小とする最小部から係止部が破壊（破断）する。即ち、係止部は最小部で切断される。
【００２３】
このため、取付部をワイヤハーネスが延びた方向に変位させると、取付部とワイヤハーネスをパネルからより確実に取り外すことができる。また、ワイヤハーネスをパネルから取り外すと、取付部もパネルからより確実に取り外される。
【００２４】
請求項５に記載した本発明のワイヤハーネス用固定具によれば、第２の傾斜面が、第１の傾斜面より最小部寄りに配されている。第２の傾斜面は、取付部から離れるのにしたがって徐々に立設片の外側に向かう方向に傾斜している。このため、ワイヤハーネスが延びた方向に沿って取付部を変位させると、変位手段が係止部を取付部に向かってより確実に倒す。
【００２５】
このため、変位手段が係止部を取付部に向かって倒すと、取付部から係止部がより一層確実に破壊（破断）する。このため、取付部をワイヤハーネスが延びた方向に変位させると、取付部とワイヤハーネスをパネルからより一層確実に取り外すことができる。また、ワイヤハーネスをパネルから取り外すと、取付部もパネルからより一層確実に取り外される。
【発明の効果】
【００２６】
以上説明したように、請求項１に記載の本発明は、取付部をワイヤハーネスが延びた方向に変位させると、変位手段が係止部を取付部に倒す方向に変位させる。そして、係止部の断面積を最小とする最小部から係止部が破壊（破断）する。即ち、係止部は最小部で切断される。
【００２７】
こうして、取付部をワイヤハーネスが延びた方向に変位させると、係止部が分離する。このため、取付部をワイヤハーネスが延びた方向に変位させると、取付部とワイヤハーネスをパネルから取り外すことができる。したがって、ワイヤハーネスをパネルから容易に取り外すことができる。また、ワイヤハーネスをパネルから取り外すと、取付部もパネルから取り外される。したがって、取付部をリサイクルすることができ、省資源化を図ることができる。
【００２８】
請求項２に記載の本発明は、最小部が変位手段より取付部寄りに配されている。このため、変位手段が係止部を取付部に向かって倒すと、取付部から係止部が確実に破壊（破断）する。このため、取付部をワイヤハーネスが延びた方向に変位させると、取付部とワイヤハーネスをパネルから確実に取り外すことができる。したがって、ワイヤハーネスをパネルから容易に取り外すことができる。また、ワイヤハーネスをパネルから取り外すと、取付部もパネルから確実に取り外される。したがって、取付部をリサイクルすることができ、省資源化を図ることができる。
【００２９】
請求項３に記載の本発明は、変位手段が立設片の外面から突出している。このため、ワイヤハーネスが延びた方向に沿って取付部を変位させると、係止片が立設片に接触するほど近づかない。このため、変位手段は、確実に係止部を倒す方向に変位させる。
【００３０】
このため、取付部をワイヤハーネスが延びた方向に変位させると、取付部とワイヤハーネスをパネルから確実に取り外すことができる。したがって、ワイヤハーネスをパネルから容易に取り外すことができる。また、ワイヤハーネスをパネルから取り外すと、取付部もパネルから確実に取り外される。したがって、取付部をリサイクルすることができ、省資源化を図ることができる。
【００３１】
請求項４に記載の本発明は、取付部をワイヤハーネスが延びた方向に変位させると、変位手段が係止部を取付部に倒す方向に変位させる。そして、係止部の断面積を最小とする最小部から係止部が破壊（破断）する。即ち、係止部は最小部で切断される。
【００３２】
このため、取付部をワイヤハーネスが延びた方向に変位させると、取付部とワイヤハーネスをパネルからより確実に取り外すことができる。したがって、ワイヤハーネスをパネルから容易に取り外すことができる。また、ワイヤハーネスをパネルから取り外すと、取付部もパネルからより確実に取り外される。したがって、取付部をリサイクルすることができ、省資源化を図ることができる。
【００３３】
請求項５に記載の本発明は、第２の傾斜面が、第１の傾斜面より最小部寄りに配されている。第２の傾斜面は、取付部から離れるのにしたがって徐々に立設片の外側に向かう方向に傾斜している。このため、ワイヤハーネスが延びた方向に沿って取付部を変位させると、変位手段が係止部を取付部に向かってより確実に倒す。
【００３４】
このため、変位手段が係止部を取付部に向かって倒すと、取付部から係止部がより一層確実に破壊（破断）する。このため、取付部をワイヤハーネスが延びた方向に変位させると、取付部とワイヤハーネスをパネルからより一層確実に取り外すことができる。したがって、ワイヤハーネスをパネルから容易に取り外すことができる。また、ワイヤハーネスをパネルから取り外すと、取付部もパネルからより一層確実に取り外される。したがって、取付部をリサイクルすることができ、省資源化を図ることができる。
【発明を実施するための最良の形態】
【００３５】
以下、本発明の一実施形態にかかるワイヤハーネス用固定具としての配線用クリップ１を、図１ないし図６を参照して説明する。図１などに示す配線用クリップ１は、移動体としての自動車に配索されるワイヤハーネス２を、該自動車のパネル３（図３などに示す）などに固定する。
【００３６】
ワイヤハーネス２は、複数の電線と、該電線の端部などに取りつけられたコネクタなどを備えている。電線は、導電性の芯線と、該芯線を被覆する絶縁性の被覆部とを備えた被覆電線である。コネクタは、導電性の端子金具と、絶縁性のコネクタハウジングとを備えている。端子金具は、電線の芯線と電気的に接続される。コネクタハウジングは箱状に形成されかつ内側に端子金具を収容する。ワイヤハーネス２は、コネクタが各種の電子機器のコネクタとコネクタ結合して、これらの電子機器に電力や各種の信号を伝える。パネル３は、前記自動車の車体を構成する。パネル３には、図３などに示すように、孔４が設けられている。
【００３７】
配線用クリップ１は、図１及び図２に示すように、平板状の取付部１０と、孔４に係止する係止部１１と、支持片１２とを一体に備えている。配線用クリップ１は、合成樹脂からなる。取付部１０は、帯板状に形成されている。取付部１０は、ワイヤハーネス２の電線と重ねられて、これらの電線とともに外周にテープ５（図３に示す）が巻かれる。取付部１０は、ワイヤハーネス２と固定される。なお、このとき、取付部１０の長手方向と取付部１０の表面が、ワイヤハーネス２が延びた方向（図３中に矢印Ａに示す）に沿う。
【００３８】
係止部１１は、取付部１０から立設している。係止部１１は、取付部１０から立設した立設片１３と、一対の係止片１４と、最小部１５と、変位手段としての太部１６とを一体に備えている。立設片１３は、取付部１０の表面に直交する方向に沿って、取付部１０から延びている。
【００３９】
一対の係止片１４は、一端部１４ａが立設片１３の取付部１０から離れた側の先端部１３ａに連なっている。なお、先端部１３ａは、立設片１３の取付部１０から離れた側の端部をなしている。一対の係止片１４の他端部１４ｂは、互いに間隔をあけているとともに、立設片１３と間隔をあけている。
【００４０】
一対の係止片１４は、一端部１４ａから他端部１４ｂに向かうにしたがって徐々に取付部１０に近づく状態に配されている。一対の係止片１４は、一端部１４ａから他端部１４ｂに向かうにしたがって互いに徐々に離れているとともに、立設片１３から徐々に離れている。一対の係止片１４は、側方からみて山形に形成されている。係止片１４の他端部１４ｂには、切欠き１７が設けられている。切欠き１７は、係止片１４の他端部１４ｂの外縁部を切り欠いている。一対の係止片１４は、他端部１４ｂが互いに近づく方向に弾性変形可能である。
【００４１】
最小部１５は、立設片１３の取付部１０寄りの基端部１３ｂに設けられている。なお、基端部１３ｂは、係止部１１の取付部１０寄りの端部と、立設片１３の取付部１０寄りの端部と、をなしている。最小部１５は、立設片１３の外面から凹に形成されている。最小部１５は、立設片１３の取付部１０の表面に沿った断面積を最小としている。
【００４２】
即ち、最小部１５は、立設片１３の矢印Ａに沿った断面積を最小としている。最小部１５の取付部１０の表面に沿った断面積は、立設片１３の他の如何なる箇所の取付部１０の表面に沿った断面積より小さい。こうして、最小部１５は、係止部１１の矢印Ａに沿った断面積を最小としている。
【００４３】
太部１６は、立設片１３の取付部１０寄りの基端部１３ｂに設けられている。なお、太部１６は、最小部１５より取付部１０から離れた側に配されている。即ち、最小部１５は、太部１６より取付部１０寄りに配されている。太部１６は、立設片１３の外面から該立設片１３の外方向に突出している。太部１６は、第１の傾斜面１８と、第２の傾斜面１９とを備えている。
【００４４】
第１の傾斜面１８は、太部１６の取付部１０から離れた側の端部に設けられている。第１の傾斜面１８は、立設片１３の外面から該立設片１３の外方向に突出している。第１の傾斜面１８は、取付部１０から離れるのにしたがって徐々に立設片１３の外面に近づく方向に傾斜している。第１の傾斜面１８は、前記矢印Ａと該矢印Ａに直交する方向との双方に対し傾斜している。
【００４５】
第２の傾斜面１９は、太部１６の取付部１０寄りの端部に設けられている。即ち、第２の傾斜面１９は、第１の傾斜面１８と最小部１５との間に配されている。第２の傾斜面１９は、立設片１３の外面から該立設片１３の外方向に突出している。第２の傾斜面１９は、取付部１０から離れるのにしたがって徐々に立設片１３の外側に向かって傾斜している。第２の傾斜面１９は、前記矢印Ａと該矢印Ａに直交する方向との双方に対し傾斜している。
【００４６】
支持片１２は、円環状に形成されている。支持片１２は、内縁部が立設片１３の取付部１０寄りの基端部１３ｂに連なっている。支持片１２は、立設片１３から該立設片１３の外方向に延びている。支持片１２は、内縁部から外縁部に向かうにしたがって徐々に取付部１０から離れる方向に、取付部１０の表面に対し若干傾いている。
【００４７】
前述した構成の配線用クリップ１は、以下に示すように、ワイヤハーネス２をパネル３に固定する。取付部１０にワイヤハーネス２の電線を重ね、該取付部１０と電線との外周にテープ５などを巻く。配線用クリップ１を、ワイヤハーネス２と固定する。
【００４８】
そして、係止部１１をパネル３の孔４と相対させる。一対の係止片１４の一端部１４ａと立設片１３の先端部１３ａとから、係止部１１を孔４内に挿入する。他端部１４ｂが互いに近づく方向に、一対の係止片１４が一旦弾性変形する。その後、一対の係止片１４の他端部１４ｂが孔４内に侵入すると、弾性復元力によって一対の係止片１４の他端部１４ｂが互いに離れる方向に変位する。
【００４９】
そして、切欠き１７が孔４の内縁に接触する。係止部１１は、前記パネル３に設けられた孔４に係止する。そして、支持片１２の外縁部がパネル３の表面に接触する。こうして、配線用クリップ１は、図３に示すように、ワイヤハーネス２をパネル３に固定する。
【００５０】
また、前述した構成の配線用クリップ１でパネル３に固定されたワイヤハーネス２を、以下に示すように、パネル３から取り外す。まず、図４中の矢印Ａ１（ワイヤハーネス２が延びた方向）に沿って、ワイヤハーネス２即ち取付部１０を変位させる。すると、図４に示すように、太部１６が、一対の係止片１４のうち一方の係止片１４の他端部１４ｂに接触する。すると、一方の係止片１４の他端部１４ｂが立設片１３に近づけなくなる。こうして、一方の係止片１４は、立設片１３に接触するほど、該立設片１３に近づかない。
【００５１】
第１の傾斜面１８と第２の傾斜面１９とが、前述したように傾斜しているので、図５に示すように、立設片１３の延びた方向が取付部１０の表面と平行となる方向に、立設片１３即ち係止部１１が最小部１５を中心として変位する。なお、本明細書では、立設片１３の延びた方向が取付部１０の表面と平行となる方向に、立設片１３即ち係止部１１が最小部１５を中心として変位することを、係止部１１が最小部１５を中心として取付部１０に向かって倒れるという。このように、太部１６は、取付部１０を矢印Ａ１に沿って変位させると、係止部１１を取付部１０に倒す方向に変位させる。
【００５２】
すると、第２の傾斜面１９の前記一方の係止片１４寄りの部分（図５中に符号１９ａで示す）が、支持片１２から離れる。さらに、第２の傾斜面１９の他方の係止片１４寄りの部分（図５中に符号１９ｂで示す）が、支持片１２に近づく。すると、最小部１５が、立設片１３の断面積を最小としているので、最小部１５の前記一方の係止片１４側から立設片１３が破壊（破断）する。そして、図６に示すように、最小部１５で立設片１３が切断されて、立設片１３と一対の係止片１４とが取付部１０から分離する。即ち、係止部１１が、取付部１０から分離する。そして、ワイヤハーネス２を取付部１０毎、パネル３から取り外すことができる。
【００５３】
本実施形態によれば、太部１６が立設片１３の外面から該立設片１３の外方向に突出している。第１の傾斜面１８が、取付部１０から離れるのにしたがって徐々に立設片１３の外面に近づいている。第２の傾斜面１９が、取付部１０から離れるのにしたがって徐々に立設片１３の外側に向かっている。最小部１５が太部１６より取付部１０寄りに配されている。第２の傾斜面１９が、第１の傾斜面１８と最小部１５との間に配されている。
【００５４】
このため、取付部１０を矢印Ａ１に沿って変位させると、太部１６が最小部１５を中心として係止部１１を取付部１０に倒す方向に確実に変位させる。そして、立設片１３即ち係止部１１の断面積を最小とする最小部１５から立設片１３即ち係止部１１が破壊（破断）する。即ち、係止部１１は最小部１５で切断される。
【００５５】
こうして、取付部１０を矢印Ａ１に沿って変位させると、係止部１１が取付部１０から分離する。このため、取付部１０を矢印Ａに沿って変位させると、取付部１０とワイヤハーネス２をパネル３から取り外すことができる。したがって、ワイヤハーネス２をパネル３から容易に取り外すことができる。
【００５６】
また、ワイヤハーネス２をパネル３から取り外すと、取付部１０もパネル３から取り外される。したがって、取付部１０をリサイクルすることができ、省資源化を図ることができる。
【図面の簡単な説明】
【００５７】
【図１】本発明の一実施形態にかかる配線用クリップの斜視図である。
【図２】図１に示された配線用クリップの要部の断面図である。
【図３】図１に示された配線用クリップがワイヤハーネスをパネルに固定した状態を示す断面図である。
【図４】図３に示した状態から配線用クリップの取付部を矢印Ａ１に沿って変位させた状態を示す断面図である。
【図５】図４に示した状態から配線用クリップの係止部が傾いた状態を示す断面図である。
【図６】図５に示した状態から配線用クリップの係止部が取付部から分離した状態を示す断面図である。
【図７】従来のワイヤハーネス用固定具がワイヤハーネスをパネルに固定した状態を示す断面図である。
【図８】図７に示した状態からワイヤハーネスの端部をワイヤハーネス用固定具から離した状態を示す断面図である。
【図９】図７に示した状態からワイヤハーネスがワイヤハーネス用固定具から完全に分離した状態を示す断面図である。
【符号の説明】
【００５８】
１  配線用クリップ（ワイヤハーネス用固定具）
２  ワイヤハーネス
３  パネル
４  孔
１０  取付部
１１  係止部
１３  立設片
１３ａ  先端部（端部）
１３ｂ  基端部（端部）
１４  係止片
１５  最小部
１６  太部
１８  第１の傾斜面
１９  第２の傾斜面
【図１】
2006312458.tif 000003
【図２】
2006312458.tif 000004
【図３】
2006312458.tif 000005
【図４】
2006312458.tif 000006
【図５】
2006312458.tif 000007
【図６】
2006312458.tif 000008
【図７】
2006312458.tif 000009
【図８】
2006312458.tif 000010
【図９】
2006312458.tif 000011